(57)【要約】【課題】浴槽の交換時に上部壁パネルを取り外すことなく、浴槽の取り外しができ、また、浴槽の設置作業がし易い。【解決手段】浴槽１周りに立設する壁パネル２を、下部壁パネル４と上部壁パネル５とに上下に分割する。下部壁パネル４は、浴槽１の外側方に配置し且つ床パン３の外端部に立設する。上部壁パネル５は、下部壁パネル４の上端部に立設し且つ浴室６内に露出する、【選択図】図１
2012007415.tif 000002
【特許請求の範囲】
【請求項１】
浴槽周りに立設する壁パネルを、前記浴槽の外側方に配置し且つ床パンの外端部に立設する下部壁パネルと、前記下部壁パネルの上端部に立設し且つ浴室内に露出する上部壁パネルとに上下分割していることを特徴とする浴槽周りの壁構造。
【請求項２】
前記下部壁パネルに収納部を設け、前記下部壁パネルの上端部に前記浴室と収納部とを連通する出し入れ用開口部を設けて成ることを特徴とする請求項１記載の浴槽周りの壁構造。
【発明の詳細な説明】
【技術分野】
【０００１】
本発明は、浴槽周りの壁構造に関するものである。
【背景技術】
【０００２】
従来から、浴槽周りの壁を、下部壁パネルと上部壁パネルとで構成したものが特許文献１により知られている。
【０００３】
上記下部壁パネルは、床パンの外端部と浴槽のフランジ部の下面部との間に配置し、下部壁パネルの下端部及び上端部をそれぞれ床パンの外端部及び浴槽のフランジ外端の下面部に接続し、上部壁パネルは、浴槽のフランジ部の上面部に立設している。
【先行技術文献】
【特許文献】
【０００４】
【特許文献１】特開２００７−３１９４４５号公報
【発明の概要】
【発明が解決しようとする課題】
【０００５】
上記従来例は、下部壁パネルが浴室内に露出しないため、下部壁パネルを低コストの材料で形成できてコスト低減効果がある。また、施工後、上部壁パネルのみ交換が可能であり、メンテナンス性が向上し、壁パネルの交換に要するコスト低減が図れるという特徴がある。
【０００６】
しかしながら、上記従来例は、下部壁パネルの上端部を浴槽のフランジ部の下面部に接続し、上部壁パネルの下端部を浴槽のフランジ部の上面部に立設しているので、浴槽のみを取り外す場合、上部壁パネルを一旦取り外さなければ、浴槽を取り外すことができない。
【０００７】
また、下部壁パネルの上端部を浴槽のフランジ部の下面部に接続するには、施工時に、下部壁パネルの施工時に同時に浴槽の設置を行う必要があり、浴槽の設置作業がし難いという問題がある。
【０００８】
本発明は、浴槽周りに立設する壁パネルを下部壁パネルと上部壁パネルに上下分離したものにおいて、浴槽の交換時に上部壁パネルを取り外すことなく、浴槽の取り外しができ、また、浴槽の設置作業がし易い浴槽周りの壁構造を提供することを目的としている。
【課題を解決するための手段】
【０００９】
本発明の浴槽周りの壁構造は、浴槽周りに立設する壁パネルを、前記浴槽の外側方に配置し且つ床パンの外端部に立設する下部壁パネルと、前記下部壁パネルの上端部に立設し且つ浴室内に露出する上部壁パネルとに上下分割していることを特徴とする。
【００１０】
また、前記下部壁パネルに収納部を設け、前記下部壁パネルの上端部に前記浴室と収納部とを連通する出し入れ用開口部を設けることが好ましい。
【発明の効果】
【００１１】
本発明は、浴槽周りに立設する壁パネルを下部壁パネルと上部壁パネルに上下分離したものにおいて、下部壁パネルの上端部に上部壁パネルを立設するので、浴槽交換時に下部壁パネル、上部パネルを残したまま浴槽を取り外すことができ、浴槽の交換が容易となる。また、下部壁パネルの建て込み作業時に浴槽を同時に設置する作業が必要でなく、浴槽の設置作業がし易くなる。
【図面の簡単な説明】
【００１２】
【図１】本発明の一実施形態の断面図である。
【図２】同上の斜視図である。
【図３】同上の浴槽周りの壁パネルの分解斜視図である。
【図４】本発明の他の実施形態の浴槽周りの壁パネルの分解斜視図である。
【図５】本発明の更に他の実施形態の断面図である。
【図６】同上に用いる下部壁パネルの斜視図である。
【発明を実施するための形態】
【００１３】
以下、本発明を添付図面に示す実施形態に基づいて説明する。
【００１４】
図２に示す実施形態において、床パン３は、洗い場側床パン部３ａと浴槽設置床パン部３ｂとよりなり、別体の洗い場側床パン部３ａと浴槽設置床パン部３ｂを接続して床パン３を構成した例を示している。もちろん、洗い場側床パン部３ａと浴槽設置床パン部３ｂを一体に成形したものであってもよい。
【００１５】
図１に示すように床パン３の外端部に上方に向けて立上り９を突設し、この立上り９の上端部にパネル載置部１０を一体に形成している。
【００１６】
床パン３のパネル載置部１０に複数の壁パネル２を立設して浴室壁を形成し、浴室壁の上端に天井パネル１６を配置して浴室天井を形成し、更に、床パン３の浴槽設置床パン部３ｂ上に浴槽１を設置して図１に示すような、浴室ユニットを組立て形成する。
【００１７】
ここで、上記複数の壁パネル２のうち、浴槽１周りに立設する壁パネル２は、下部壁パネル４と上部壁パネル５とに上下分割してある。
【００１８】
ここで、浴槽１周りに立設する壁パネル２を下部壁パネル４と上部壁パネル５とに上下分割するに当たり、図３は下部壁パネル４は水平断面コ字状の一体物で、該下部壁パネル４に対応する上部壁パネル５が巾方向に複数に分割した平板状のものとなっている。
【００１９】
もちろん、図４のように、浴槽１周りに立設する壁パネル２を下部壁パネル４と上部壁パネル５を上下に分割すると共に、下部壁パネル４と上部壁パネル５との横巾が同じであってもよい。
【００２０】
また、図示を省略しているが、壁パネル２を下部壁パネル４と上部壁パネル５を上下に分割すると共に、上部パネル５に対応する下部壁パネル４を巾方向に複数に分割してもよい。
【００２１】
また、浴槽１周りに立設する壁パネル２以外の壁パネル２のうち、一つは出入り用ドア枠が該壁パネル２を構成している。そして、浴槽１周りに立設する壁パネル２以外の壁パネル２のうち、出入り用ドア枠以外の残りの壁パネル２は、上下に２分割することなく床パン３から天井パネル１６に至る上下長さとなっている。
【００２２】
下部壁パネル４は、床パン３のパネル載置部１０の浴槽１周りに対応する部分に立設する。下部壁パネル４の上端部に外側方に向けて突出した載置片１１を一体に設けてあり、この載置片１１に上部壁パネル５の下端部の載置用横片１５を載設する。
【００２３】
浴槽１の床パン３への設置作業は、上記のようにして下部壁パネル４と上部壁パネル５よりなる壁パネル２を立設する作業を行った後に行う。なお、現場の状況によっては、下部壁パネル４を床パン３のパネル載置部１０に立設する作業を行った後に行うこともできる。この場合は、浴槽１の床パン３への設置作業を行った後に、上部壁パネル５を下部壁パネル４に立設する作業を行う。
【００２４】
上記、いずれの場合も、従来のように、下部壁パネル４を立設する際、同時に浴槽１を設置して下部壁パネル４と浴槽１のフランジ部１２とを接続する必要がないので、施工が煩わしくない。
【００２５】
下部壁パネル４は浴槽１の外側方に配置し、その上端部が浴槽１のフランジ部１２とほぼ同じ高さとなっていて、浴槽１に隠れて浴室６内に露出しないようになっている。このように、下部壁パネル４の全体又はほぼ全体が浴室６内に露出しないので、下部壁パネル４の表面の外観を考慮する必要がなく、低コストの材料で形成しても問題がなく、コスト低減効果がある。
【００２６】
上記のように浴槽１周りに立設する壁パネル２を下部壁パネル４と上部壁パネル５に上下分離しているので、上部壁パネル５を交換したい場合、下部壁パネル４は残したまま、上部壁パネル５のみを取り外して交換できる。この場合、浴槽１も設置したまま取り外さなくてもよい。このように、上部壁パネル５の交換が容易であり、メンテナンス性が向上すると共に、壁パネルの交換に要するコスト低減が図れることになる。
【００２７】
一方、下部壁パネルの上端部に上部壁パネルを立設しているので、浴槽１を交換する場合、下部壁パネル４、上部壁パネル５を残したまま、浴槽１のみを取り外すことができる。したがって、浴槽１の取り外しに当たり、上部壁パネル５、下部壁パネル４を取り外す必要がなく、浴槽１の取り外し、再設置作業が容易に行える。
【００２８】
次に、他の実施形態を図５、図６に基づいて説明する。
【００２９】
本実施形態の基本的構成は前述の実施形態と同じ構成である。したがって、以下においては、前述の実施形態と同じ構成、作用についての重複する説明は省略し、前述の実施形態と異なる構成、作用について以下説明する。
【００３０】
本実施形態は、下部壁パネル４に収納部７を設け、下部壁パネル４の上端部に浴室６と収納部７とを連通する出し入れ用開口部８を設けている。
【００３１】
図５、図６においては、下部壁パネル４に浴槽１側に開口する凹部７ａを設けてこの凹部７ａを収納部７とした実施形態を示しており、凹部７ａの横巾は浴槽１のフランジ部１２の辺に沿った横巾と同じ又は略同じ寸法に形成している。
【００３２】
また、凹部７ａ側の浴槽１側の開口の上端部が出し入れ用開口部８となっており、下部壁パネル４を立設し、浴槽１を設置した状態で、出し入れ用開口部８となる凹部７ａの開口の上端部が浴槽１のフランジ部１２の上面部よりも上方に位置するように構成している。
【００３３】
図５においては、収納部７である凹部７ａに風呂蓋１３を出し入れ自在に収納するようになっている。
【００３４】
風呂蓋１３は複数の蓋素体１３ａを折り曲げ可能部１３ｂで折り曲げ自在に接続することで構成している。また、風呂蓋１３の一端部に上方に向けて突出部１４を設けてあり、この突出部１４の上方への突出長さが、出し入れ用開口部８の上下巾寸法（凹部７ａの開口の上縁部とフランジ部１２の上面部間の寸法）よりも長くなっている。
【００３５】
そして、風呂蓋１３を使用しない場合は、出し入れ用開口部８から風呂蓋１３を収納部７内に落とし込むようにして収納することができる。この場合、図５のように風呂蓋１３を出し入れ用開口部８から収納部７内に収納した状態で、突出部１４が出し入れ用開口部８の上縁部に引掛かかってそれ以上風呂蓋１３が収納部７内に落ち込まないようになっている。
【００３６】
したがって、風呂蓋１３を使用する場合は、突出部１４を手で掴んで引っ張ることで、収納部７に収納していた風呂蓋１３を出し入れ用開口部８から簡単に引出し、浴槽１のフランジ部１２上に載せて浴槽１の上開口を閉じることができる。
【００３７】
本実施形態では、浴槽１に隠れて浴室６内に露出しない下部壁パネル４に設けた収納部７に、風呂蓋１３を収納するので、風呂蓋１３を収納した状態で浴室６内のスペースが狭くならないという効果がある。
【００３８】
上記例では収納部７として風呂蓋１３を収納する例で示したが、風呂蓋１３以外の風呂に関連した小物を収納する収納部であってもよい。
【符号の説明】
【００３９】
１  浴槽
２  壁パネル
３  床パン
４  下部壁パネル
５  上部壁パネル
６  浴室
７  収納部
８  出し入れ用開口部
【図１】
2012007415.tif 000003
【図２】
2012007415.tif 000004
【図３】
2012007415.tif 000005
【図４】
2012007415.tif 000006
【図５】
2012007415.tif 000007
【図６】
2012007415.tif 000008